(57)【要約】      （修正有）【課題】異物がモータ部に侵入することを防止する。【解決手段】流体ポンプ装置１０では、モータハウジングの底部３６ａとロータ３２の底部３２ｂとの軸方向間の径方向通路５６の軸方向幅Ｗ１が、キャン２８の筒状部２８ａとロータ３２の外周部３２ａとの径方向間の第一軸方向通路５４の径方向幅Ｗ２、及び、回転シャフト３０の外周部３０ａと軸受部材４６の内周部４６ａとの径方向間の第二軸方向通路５８の径方向幅Ｗ３よりも幅広に設定されており、この径方向通路５６が異物溜まりとして構成されている。また、ロータ３２の底部３２ｂには、径方向通路５６内に流入した流体に渦流６４を生じさせる複数の羽根６２が設けられている。これにより、混入異物を径方向通路５６に確実に溜めることができ、異物が回転シャフト３０の外周部３０ａと軸受部材４６の内周部４６ａとの径方向間に侵入することを防止できる。【選択図】図２
2008133790.tif 000002
【特許請求の範囲】
【請求項１】
吸入口及び排出口と連通するポンプ室を形成するポンプ側ハウジング、及び、前記ポンプ室に回転可能に配置されたインペラを有して構成されたポンプ部と、
前記ポンプ室側に開口部を有し前記ポンプ室と連通するモータ室を形成する有底筒状の隔壁部を備えたモータ側ハウジング、前記モータ室に軸方向に沿って設けられた回転シャフト、前記回転シャフトに軸受部材を介して回転可能に支持されて前記モータ室に配置されると共に前記インペラと一体回転可能に連結されたロータ、及び、前記隔壁部の筒状部の径方向外側に前記ロータと径方向に対向するように設けられたステータを有して構成されたモータ部と、
を備え、
前記インペラの回転に伴って、前記ポンプ室の流体が前記隔壁部の筒状部と前記ロータの外周部との径方向間の第一軸方向通路、前記隔壁部の底部と前記ロータの底部との軸方向間の径方向通路、及び、前記回転シャフトの外周部と前記軸受部材の内周部との径方向間の第二軸方向通路を介して前記ポンプ室に戻る軸受け循環流が形成される流体ポンプ装置において、
前記径方向通路の軸方向幅は、前記第一軸方向通路の径方向幅及び前記第二軸方向通路の径方向幅よりも幅広に設定され、
前記ロータの底部には、前記径方向通路に回転可能に設けられると共に前記径方向通路内に流入した流体に前記ロータの回転に伴って渦流を生じさせる渦流発生手段が設けられていることを特徴とする流体ポンプ装置。
【請求項２】
前記渦流発生手段は、前記ロータの底部に径方向内側から径方向外側に向けて放射状に設けられた複数の羽根により構成されていることを特徴とする請求項１に記載の流体ポンプ装置。
【請求項３】
前記インペラは、回転に伴って前記ポンプ室の流体を径方向外側に搬送するように構成されると共に、その外径が前記隔壁部の内径よりも大径に設定されていることを特徴とする請求項１又は請求項２に記載の流体ポンプ装置。
【請求項４】
前記ポンプ室と連通する前記インペラと前記隔壁部との間の隙間は、その開口方向が前記インペラによって流体が搬送される方向と反対方向に設定されていることを特徴とする請求項１乃至請求項３のいずれか一項に記載の流体ポンプ装置。
【発明の詳細な説明】
【技術分野】
【０００１】
本発明は、流体ポンプ装置に係り、特に、ポンプ室内に流入した流体内の混入異物がモータ部に侵入することを防止するための構造を備えた流体ポンプ装置に関する。
【背景技術】
【０００２】
一般に、自動車のエンジンを冷却する冷却水の中には異物が混入されており、この冷却水を送水する流体ポンプ装置では、この混入異物のモータ部への侵入を防止するための構造が採用されている。この種の構造としては、例えば、つぎのようなものがある（例えば、特許文献１、特許文献２参照）。
【０００３】
例えば、特許文献１に記載のウォータポンプの例では、ポンプハウジングの羽根車に冷却液を導くための液入口通路に、交換自在なフィルタ部材が設けられている。このフィルタ部材は、ポンプハウジングと羽根車との間を封止するメカニカルシールへの異物の侵入を防止するように構成されている。
【０００４】
また、特許文献２に記載の磁気結合ポンプの例では、羽根車の端面に凹部が形成されており、この凹部からはロータマグネットの一部が露出されている。そして、この凹部から露出されたロータマグネットの一部によって流体中の混入異物を吸着し、この混入異物を凹部に収容するように構成されている。
【特許文献１】実開平６−５８１９４号公報
【特許文献２】特開平９−４９４９６号公報
【特許文献３】特開２００５−３３０８７７号公報
【特許文献４】特開２００５−２１４０９９号公報
【特許文献５】特開２００３−８３２７７号公報
【発明の開示】
【発明が解決しようとする課題】
【０００５】
しかしながら、特許文献１に記載のウォータポンプの例では、定期的にフィルタ部材の交換が必要になり、メンテナンスが煩雑である等の不都合がある。
【０００６】
また、特許文献２に記載の磁気結合ポンプの例では、モータ駆動用のロータマグネットに混入異物を吸着させることでモータ駆動に必要な有効磁束量が減ってしまうという不都合がある。また、これを防止するために混入異物を吸着するためのマグネットを追加することも考えられるが、このようにした場合には、部材の追加に伴いコストアップとなる。また、マグネットに吸着しない混入異物は排除できない等の不都合がある。
【０００７】
本発明は、上記各問題に鑑みてなされたものであって、その目的は、ポンプ室内に流入した流体内の混入異物がモータ部に侵入することを簡単な構成で確実に防止することが可能な流体ポンプ装置を提供することにある。
【課題を解決するための手段】
【０００８】
請求項１に記載の流体ポンプ装置は、吸入口及び排出口と連通するポンプ室を形成するポンプ側ハウジング、及び、前記ポンプ室に回転可能に配置されたインペラを有して構成されたポンプ部と、前記ポンプ室側に開口部を有し前記ポンプ室と連通するモータ室を形成する有底筒状の隔壁部を備えたモータ側ハウジング、前記モータ室に軸方向に沿って設けられた回転シャフト、前記回転シャフトに軸受部材を介して回転可能に支持されて前記モータ室に配置されると共に前記インペラと一体回転可能に連結されたロータ、及び、前記隔壁部の筒状部の径方向外側に前記ロータと径方向に対向するように設けられたステータを有して構成されたモータ部と、を備え、前記インペラの回転に伴って、前記ポンプ室の流体が前記隔壁部の筒状部と前記ロータの外周部との径方向間の第一軸方向通路、前記隔壁部の底部と前記ロータの底部との軸方向間の径方向通路、及び、前記回転シャフトの外周部と前記軸受部材の内周部との径方向間の第二軸方向通路を介して前記ポンプ室に戻る軸受け循環流が形成される流体ポンプ装置において、前記径方向通路の軸方向幅は、前記第一軸方向通路の径方向幅及び前記第二軸方向通路の径方向幅よりも幅広に設定され、前記ロータの底部には、前記径方向通路に回転可能に設けられると共に前記径方向通路内に流入した流体に前記ロータの回転に伴って渦流を生じさせる渦流発生手段が設けられていることを特徴とする。
【０００９】
請求項１に記載の流体ポンプ装置では、ステータから付与された回転磁界によってロータが回転すると、インペラが回転されて、外部から吸入口を介してポンプ室に流体が吸入され、このポンプ室の流体が排出口を介して外部に排出される。また、このインペラの回転に伴って、ポンプ室の流体が隔壁部の筒状部とロータの外周部との径方向間の第一軸方向通路、隔壁部の底部とロータの底部との軸方向間の径方向通路、及び、回転シャフトの外周部と軸受部材の内周部との径方向間の第二軸方向通路を介してポンプ室に戻る軸受け循環流が形成される。
【００１０】
ところで、請求項１に記載の流体ポンプ装置を、例えば自動車のエンジン冷却システムに使用した場合、エンジンが新しい時などに鋳砂等の異物がエンジン冷却水に混入して流体ポンプ装置のポンプ室内にまで運ばれてくる。
【００１１】
ここで、請求項１に記載の流体ポンプ装置では、隔壁部の底部とロータの底部との軸方向間の径方向通路の軸方向幅が、隔壁部の筒状部とロータの外周部との径方向間の第一軸方向通路の径方向幅、及び、回転シャフトの外周部と軸受部材の内周部との径方向間の第二軸方向通路の径方向幅よりも幅広に設定されており、この隔壁部の底部とロータの底部との軸方向間の径方向通路が異物溜まりとして機能する。このため、上述の軸受け循環流内に混入された異物を、この径方向通路に溜めることができる。
【００１２】
しかも、ロータの底部には、上述の径方向通路に回転可能に設けられると共に径方向通路内に流入した流体にロータの回転に伴って渦流を生じさせる渦流発生手段が設けられている。従って、ロータの回転時には、上述の渦流発生手段によって径方向通路内の流体に渦流が形成されることで、この径方向通路内の流体内に混入された異物が径方向通路より先の第二軸方向通路に向かうことを防止でき、この異物を径方向通路に確実に溜めることができる。これにより、異物が回転シャフトの外周部と軸受部材の内周部との径方向間に入り込むことを防止できる。
【００１３】
このように、請求項１に記載の流体ポンプ装置によれば、ポンプ室内に流入した流体内の混入異物がモータ部（特に、回転シャフトの外周部と軸受部材の内周部との径方向間）に侵入することを簡単な構成で確実に防止することが可能となる。
【００１４】
請求項２に記載の流体ポンプ装置は、請求項１に記載の流体ポンプ装置において、前記渦流発生手段は、前記ロータの底部に径方向内側から径方向外側に向けて放射状に設けられた複数の羽根により構成されていることを特徴とする。
【００１５】
請求項２に記載の流体ポンプ装置によれば、上述の渦流発生手段は、ロータの底部に径方向内側から径方向外側に向けて放射状に設けられた複数の羽根により構成されている。従って、ロータの回転に伴って、上述の径方向通路内に流入した流体に確実に渦流を生じさせることができ、異物が回転シャフトの外周部と軸受部材の内周部との径方向間に入り込むことを確実に防止できる。
【００１６】
請求項３に記載の流体ポンプ装置は、請求項１又は請求項２に記載の流体ポンプ装置において、前記インペラは、回転に伴って前記ポンプ室の流体を径方向外側に搬送するように構成されると共に、その外径が前記隔壁部の内径よりも大径に設定されていることを特徴とする。
【００１７】
請求項３に記載の流体ポンプ装置によれば、インペラが回転すると、このインペラの回転に伴ってポンプ室の流体が径方向外側に搬送される。ここで、インペラの外径は、隔壁部の内径よりも大径に設定されている。従って、ポンプ室内の流体内に混入した異物を隔壁部の径方向最外部から径方向外側に搬送することができると共に、この異物に大きな運動エネルギを付与して、この異物を径方向外側に搬送することができる。これにより、ポンプ室内の流体内に混入した異物がポンプ室から隔壁部の筒状部とロータの外周部との径方向間の第一軸方向通路に入り込むことを確実に防止でき、ひいては、異物が回転シャフトの外周部と軸受部材の内周部との径方向間に入り込むことをさらに確実に防止できる。
【００１８】
請求項４に記載の流体ポンプ装置は、請求項１乃至請求項３のいずれか一項に記載の流体ポンプ装置において、前記ポンプ室と連通する前記インペラと前記隔壁部との間の隙間は、その開口方向が前記インペラによって流体が搬送される方向と反対方向に設定されていることを特徴とする。
【００１９】
請求項４に記載の流体ポンプ装置によれば、ポンプ室と連通するインペラと隔壁部との間の隙間は、その開口方向がインペラによって流体が搬送される方向と反対方向に設定されている。すなわち、例えば、インペラによって流体が搬送される方向が流体ポンプ装置の径方向外側とされた場合には、ポンプ室と連通するインペラと隔壁部との間の隙間の開口方向は流体ポンプ装置の径方向内側に設定されることになる。これにより、ポンプ室内の流体内に混入した異物がポンプ室と連通するインペラと隔壁部との間の隙間から第一軸方向通路に入り込むことを確実に防止でき、ひいては、異物が回転シャフトの外周部と軸受部材の内周部との径方向間に入り込むことをさらにより確実に防止できる。
【発明を実施するための最良の形態】
【００２０】
はじめに、本発明の一実施形態に係る流体ポンプ装置１０の構成について説明する。
【００２１】
図１には、本発明の一実施形態に係る流体ポンプ装置１０の全体構成を示す側面断面図、図２，図３には、本発明の一実施形態に係る流体ポンプ装置１０の要部拡大断面図がそれぞれ示されている。また、図４，図５には、本発明の一実施形態に係る流体ポンプ装置１０に設けられたインペラ２６及びロータ３２の側面図及び底面図がそれぞれ示されている。
【００２２】
本発明の一実施形態に係る流体ポンプ装置１０は、例えば、自動車のエンジン冷却装置用の電動ウォータポンプとして好適に用いられるものであり、軸方向一方側に設けられたポンプ部１２と、軸方向他方側に設けられたモータ部１４と、を備えている。
【００２３】
ポンプ部１２は、概略凹状の円盤状に構成されたポンプ側ハウジングとしてのポンプハウジング１６を有して構成されている。このポンプハウジング１６の凹状部の内側は、ポンプ室１８として構成されている。また、ポンプハウジング１６には、その中央部に軸方向に沿って吸入口２０が設けられており、その径方向外側部に接線方向に延びる排出口２２が設けられている。この吸入口２０及び排出口２２は、いずれもポンプ室１８と連通されている。
【００２４】
また、ポンプ室１８には、複数の羽根２４を有して構成されたインペラ２６が回転可能に配置されている。インペラ２６は、回転に伴って吸入口２０より流体を吸入すると共にポンプ室１８の流体を径方向外側（Ｘ１側）に搬送して排出口２２から外部に排出するように構成されている。
【００２５】
モータ部１４は、モータ側ハウジングとしてのキャン２８及びモータハウジング３６と、回転シャフト３０と、ロータ３２と、ステータ３４と、制御回路３８と、を有して構成されており、上述のポンプ部１２と一体的に組み付けられている。
【００２６】
キャン２８は、ポンプ室１８側に開口部４０を有する筒状に構成されており、このキャン２８の内側は、ポンプ室１８と連通するモータ室４２として構成されている。このキャン２８は、後述するステータ３４をモータ室４２から隔離密閉している。また、図２に示されるように、このキャン２８の内径φ１は、上述のインペラ２６の外径φ２よりも小径に設定されている（φ２＞φ１）。
【００２７】
回転シャフト３０は、モータハウジング３６の底部の中央部に設けられた支持部４４によって支持されており、ポンプ室１８に軸方向に沿って設けられている。ロータ３２は、回転シャフト３０に軸受部材４６を介して回転可能に支持されており、キャン２８の径方向内側のモータ室４２に配置されている。ロータ３２には、回転シャフト３０よりも径方向外側に環状にロータマグネット４８が設けられている。また、このロータ３２は、上述のインペラ２６と一体的に設けられている。
【００２８】
ステータ３４は、キャン２８の筒状部２８ａの径方向外側にロータ３２と径方向に対向するように設けられている。このステータ３４は、コア５０に巻線５２が装着された構成とされている。モータハウジング３６は、概略凹状に構成されており、ステータ３４の径方向外側に配置されて、このステータ３４を収容している。このモータハウジング３６は、固定具３７によって上述のポンプハウジング１６と一体的に固定されている。
【００２９】
そして、上記各構成を備える流体ポンプ装置１０では、図２に示されるように、キャン２８の筒状部２８ａとロータ３２の外周部３２ａとの径方向間に、軸方向に延びる第一軸方向通路５４が形成され、モータハウジングの底部３６ａとロータ３２の底部３２ｂとの軸方向間に、径方向に延びる径方向通路５６が形成されている。さらに、回転シャフト３０の外周部３０ａと軸受部材４６の内周部４６ａとの径方向間に、軸方向に沿って延びる第二軸方向通路５８が形成されている。
【００３０】
なお、本実施形態では、キャン２８の筒状部２８ａとモータハウジング３６の底部３６ａによって、本発明に係る有底筒状の隔壁部が構成されている。
【００３１】
また、図３に示されるように、ポンプ室１８と連通するインペラ２６とキャン２８との間の隙間６０は、その開口方向がインペラ２６によって流体が搬送される方向と反対方向に設定されている。すなわち、流体ポンプ装置１０では、インペラ２６によって流体が搬送される方向が流体ポンプ装置１０の径方向外側（Ｘ１側）とされており、ポンプ室１８と連通するインペラ２６とキャン２８との間の隙間６０の開口方向は、流体ポンプ装置１０の径方向内側（Ｘ２側）に設定されている。
【００３２】
そして、この流体ポンプ装置１０では、ロータ３２と共にインペラ２６が回転すると、図２の矢印Ａ１〜Ａ５で示されるように、このインペラ２６の回転に伴って、ポンプ室１８の流体がキャン２８の筒状部２８ａとロータ３２の外周部３２ａとの径方向間の第一軸方向通路５４、モータハウジングの底部３６ａとロータ３２の底部３２ｂとの軸方向間の径方向通路５６、及び、回転シャフト３０の外周部３０ａと軸受部材４６の内周部４６ａとの径方向間の第二軸方向通路５８を介してポンプ室１８に戻る軸受け循環流が形成されるように構成されている。
【００３３】
さらに、この流体ポンプ装置１０では、上述のモータハウジングの底部３６ａとロータ３２の底部３２ｂとの軸方向間の径方向通路５６の軸方向幅Ｗ１は、キャン２８の筒状部２８ａとロータ３２の外周部３２ａとの径方向間の第一軸方向通路５４の径方向幅Ｗ２、及び、回転シャフト３０の外周部３０ａと軸受部材４６の内周部４６ａとの径方向間の第二軸方向通路５８の径方向幅Ｗ３よりも幅広に設定されている（Ｗ１＞Ｗ２＞異物粒径＞Ｗ３）。
【００３４】
このモータハウジングの底部３６ａとロータ３２の底部３２ｂとの軸方向間の径方向通路５６は、後に詳述するように、流入した異物を溜めておくための異物溜まりとして機能するものであり、流体ポンプ装置１０の使用により生ずると想定される異物の総体積よりも大きくなるように設定されている。
【００３５】
また、図４，図５に示されるように、上述のロータ３２の底部３２ｂ（インペラ２６が形成された側と軸方向の反対側）には、径方向内側から径方向外側に向けて放射状に複数の羽根６２（渦流発生手段）が一体的に設けられている。この複数の羽根６２は、図２に示されるように、上述のモータハウジングの底部３６ａとロータ３２の底部３２ｂとの軸方向間の径方向通路５６に回転可能に設けられると共に径方向通路５６内に流入した流体にロータ３２の回転に伴って渦流６４を生じさせることができるように構成されている。
【００３６】
制御回路３８は、モータハウジング３６に一体的に設けられており、上述のステータ３４に設けられた巻線５２と電気的に接続されている。そして、この制御回路３８は、図示しない外部制御装置から出力された制御信号に応じて上述のステータ３４に設けられた巻線５２に電流を順次流すように構成されている。
【００３７】
次に、本発明の一実施形態に係る流体ポンプ装置１０の作用効果について説明する。
【００３８】
本発明の一実施形態に係る流体ポンプ装置１０では、ステータ３４から付与された回転磁界によってロータ３２が回転すると、インペラ２６が回転されて、外部から吸入口２０を介してポンプ室１８に流体が吸入され、このポンプ室１８の流体が排出口２２を介して外部に排出される。また、図２の矢印Ａ１〜Ａ５で示されるように、このインペラ２６の回転に伴って、ポンプ室１８の流体がキャン２８の筒状部２８ａとロータ３２の外周部３２ａとの径方向間の第一軸方向通路５４、モータハウジングの底部３６ａとロータ３２の底部３２ｂとの軸方向間の径方向通路５６、及び、回転シャフト３０の外周部３０ａと軸受部材４６の内周部４６ａとの径方向間の第二軸方向通路５８を介してポンプ室１８に戻る軸受け循環流が形成される。
【００３９】
ところで、本発明の一実施形態に係る流体ポンプ装置１０を、例えば自動車のエンジン冷却システムに使用した場合、エンジンが新しい時などに鋳砂等の異物がエンジン冷却水に混入して流体ポンプ装置１０のポンプ室１８内にまで運ばれてくる。
【００４０】
ここで、本発明の一実施形態に係る流体ポンプ装置１０では、モータハウジングの底部３６ａとロータ３２の底部３２ｂとの軸方向間の径方向通路５６の軸方向幅Ｗ１が、キャン２８の筒状部２８ａとロータ３２の外周部３２ａとの径方向間の第一軸方向通路５４の径方向幅Ｗ２、及び、回転シャフト３０の外周部３０ａと軸受部材４６の内周部４６ａとの径方向間の第二軸方向通路５８の径方向幅Ｗ３よりも幅広に設定されており、この径方向通路５６が異物溜まりとして機能する。このため、上述の軸受け循環流内に混入された異物（例えば、比重の小さな異物や粒径の小さな異物）を、この径方向通路５６に溜めることができる。
【００４１】
しかも、ロータ３２の底部３２ｂには、上述の径方向通路５６に回転可能に設けられると共に径方向通路５６内に流入した流体にロータ３２の回転に伴って渦流６４を生じさせる複数の羽根６２が設けられている。従って、ロータ３２の回転時には、上述の複数の羽根６２によって径方向通路５６内の流体に渦流６４が形成されることで、この径方向通路５６内の流体内に混入された異物が径方向通路５６より先の第二軸方向通路５８に向かうことを防止でき、この異物を径方向通路５６に確実に溜めることができる。これにより、異物が回転シャフト３０の外周部３０ａと軸受部材４６の内周部４６ａとの径方向間に入り込むこと（異物の噛み込み）を防止できる。
【００４２】
このように、本発明の一実施形態に係る流体ポンプ装置１０によれば、ポンプ室１８内に流入した流体内の混入異物がモータ部１４（特に、回転シャフト３０の外周部３０ａと軸受部材４６の内周部４６ａとの径方向間）に侵入することを簡単な構成で確実に防止することができる。これにより、流体ポンプ装置１０の信頼性を向上させることが可能となる。
【００４３】
また、本発明の一実施形態に係る流体ポンプ装置１０によれば、上述の複数の羽根６２がロータ３２の底部３２ｂに径方向内側から径方向外側に向けて放射状に設けられている。従って、ロータ３２の回転に伴って、上述の径方向通路５６内に流入した流体に確実に渦流６４を生じさせることができる。これにより、異物が回転シャフト３０の外周部３０ａと軸受部材４６の内周部４６ａとの径方向間に入り込むことを確実に防止できる。
【００４４】
また、本発明の一実施形態に係る流体ポンプ装置１０によれば、インペラ２６が回転すると、このインペラ２６の回転に伴ってポンプ室１８の流体が径方向外側（Ｘ１側）に搬送される。ここで、インペラ２６の外径φ２は、キャン２８の内径φ１よりも大径に設定されている。従って、図３に示される如く、ポンプ室１８内の流体内に混入した異物１００をキャン２８の径方向外側から径方向外側（Ｘ１側）に搬送することができると共に、この異物１００（例えば、軸受け循環流の影響を受けにくい比重の大きな異物）に大きな運動エネルギを付与して、この異物を径方向外側（Ｘ１側）に搬送することができる。これにより、ポンプ室１８内の流体内に混入した異物１００がポンプ室１８から第一軸方向通路５４に入り込むことを確実に防止でき、ひいては、この異物１００が図２に示される回転シャフト３０の外周部３０ａと軸受部材４６の内周部４６ａとの径方向間に入り込むことをさらに確実に防止できる。
【００４５】
さらに、本発明の一実施形態に係る流体ポンプ装置１０によれば、図３に示される如く、インペラ２６によって流体が搬送される方向が流体ポンプ装置１０の径方向外側（Ｘ１側）とされており、ポンプ室１８と連通するインペラ２６とキャン２８との間の隙間６０の開口方向は、流体ポンプ装置１０の径方向内側（Ｘ２側）に設定されている。これにより、ポンプ室１８内の流体内に混入した異物１００がポンプ室１８と連通するインペラ２６とキャン２８との間の隙間６０から第一軸方向通路５４に入り込むことを確実に防止できる。
【００４６】
つまり、例えば、図６に示される比較例に係る構成のように、ポンプ室１８と連通するインペラ２６とキャン２８との間の隙間６０の開口方向がインペラ２６によって流体が搬送される方向（Ｘ１方向）と垂直方向（Ｙ方向）に設定されている場合には、ポンプ室１８内の流体内に混入した異物１００がポンプ室１８と連通するインペラ２６とキャン２８との間の隙間６０から第一軸方向通路５４に入り込む虞がある（なお、この比較例では、便宜上、本実施形態と同一の符号を用いている）。
【００４７】
これに対して、本発明の一実施形態に係る流体ポンプ装置１０によれば、図３に示されるように、インペラ２６によって流体が搬送される方向が流体ポンプ装置１０の径方向外側（Ｘ１側）とされており、ポンプ室１８と連通するインペラ２６とキャン２８との間の隙間６０の開口方向は、流体ポンプ装置１０の径方向内側（Ｘ２側）に設定されている。これにより、ポンプ室１８内の流体内に混入した異物１００がポンプ室１８と連通するインペラ２６とキャン２８との間の隙間６０から第一軸方向通路５４に入り込むことを確実に防止でき、ひいては、この異物１００が図２に示される回転シャフト３０の外周部３０ａと軸受部材４６の内周部４６ａとの径方向間に入り込むことをさらにより確実に防止できる。
【００４８】
また、流体ポンプ装置１０が高圧ポンプとして使用される場合には、これに伴い軸受け循環流の流量も多くなるが、本発明の一実施形態に係る流体ポンプ装置１０によれば、ロータ３２の底部３２ｂに設けられた複数の羽根６２によって径方向通路５６に大きな渦流６４を形成することができるので、この異物を径方向通路５６に確実に溜めることができる。
【００４９】
また、本発明の一実施形態に係る流体ポンプ装置１０によれば、図１に示されるように、ポンプ室１８の圧力を下げるための排圧構造６６が備えられているが、この排圧構造６６によってポンプ室１８の圧力が低下されて上述の軸受け循環流が変化された場合でも、この変化の有無に係わらずロータ３２の底部３２ｂに設けられた複数の羽根６２によって径方向通路５６に渦流６４を形成することで、この異物を径方向通路５６に確実に溜めることができる。
【００５０】
次に、本発明の一実施形態に係る流体ポンプ装置１０の変形例について説明する。
【００５１】
上記実施形態では、径方向通路５６内に流入した流体に渦流６４を生じさせるための構成として、ロータ３２の底部３２ｂに複数の羽根６２が設けられていたが、複数の羽根６２以外の構成によって径方向通路５６内に流入した流体に渦流６４が生じるように構成されていても良い。
【００５２】
また、上記実施形態では、ロータ３２の底部３２ｂに設けられた複数の羽根６２によって径方向通路５６内に流入した流体に渦流６４を生じさせるための渦流発生手段が構成されていたが、ロータ３２の底部３２ｂに放射状に設けられた複数の溝部によって径方向通路５６内に流入した流体に渦流６４を生じさせるための渦流発生手段が構成されていても良い。
【図面の簡単な説明】
【００５３】
【図１】本発明の一実施形態に係る流体ポンプ装置の全体構成を示す側面断面図である。
【図２】本発明の一実施形態に係る流体ポンプ装置の要部拡大断面図である。
【図３】本発明の一実施形態に係る流体ポンプ装置の要部拡大断面図である。
【図４】本発明の一実施形態に係る流体ポンプ装置に設けられたインペラ及びロータの側面図である。
【図５】本発明の一実施形態に係る流体ポンプ装置に設けられたインペラ及びロータの側面図及び底面図である。
【図６】本発明の比較例に係る流体ポンプ装置の要部拡大断面図である。
【符号の説明】
【００５４】
１０…流体ポンプ装置、１２…ポンプ部、１４…モータ部、１６…ポンプハウジング（ポンプ側ハウジング）、１８…ポンプ室、２０…吸入口、２２…排出口、２４…羽根、２６…インペラ、２８…キャン（モータ側ハウジングの一部）、２８ａ…筒状部（隔壁部の筒状部）、３０…回転シャフト、３０ａ…外周部、３２…ロータ、３２ａ…外周部、３２ｂ…底部、３４…ステータ、３６…モータハウジング（モータ側ハウジングの一部）、３６ａ…底部（隔壁部の底部）、３７…固定具、３８…制御回路、４０…開口部、４２…モータ室、４４…支持部、４６…軸受部材、４６ａ…内周部、５０…コア、５２…巻線、５４…第一軸方向通路、５６…径方向通路、５８…第二軸方向通路、６０…隙間、６２…羽根（渦流発生手段）、６４…渦流
【図１】
2008133790.tif 000003
【図２】
2008133790.tif 000004
【図３】
2008133790.tif 000005
【図４】
2008133790.tif 000006
【図５】
2008133790.tif 000007
【図６】
2008133790.tif 000008